(57)【要約】【課題】吊下形商品押出具の復元力を維持し、嵩張らず、商品を効率的に陳列でき、簡素な構造で、製造工程も少なく、安価に得ることができる。【解決手段】略水平方向に延出される吊下形商品５吊り下げ用フック棒１１と、ジグザグ形などの連続凹凸形状とされた帯板１よりなり、帯板１は、長手方向からの圧縮状態において、基端側Ｃから先端側Ａへの復元押出力が付与され、帯板１は、複数の部分帯板１Ａ，１Ｂ，１Ｃに分割形成されるとともに、各部分帯板１Ａ，１Ｂ，１Ｃの接続により形成され、部分帯板１Ａ，１Ｂ，１Ｃの突出頂部３となる接続部が前後方向に重合溶着されている吊下形商品押出具１０と、を具備し、商品押出具１０の凹凸部分を長手方向に貫通して形成される保持孔２をフック棒１１に挿通保持させている。【選択図】        図１
2004159774.tif 000002
【特許請求の範囲】
【請求項１】
ジグザグ形などの連続凹凸形状とされた帯板よりなり、該帯板は、長手方向からの圧縮状態において、基端側から先端側への復元押出力が付与された吊下形商品押出具において、
前記帯板の突出頂部の少なくとも一部が前後方向に重合溶着されていることを特徴とする吊下形商品押出具。
【請求項２】
ジグザグ形などの連続凹凸形状とされた帯板よりなり、該帯板は、長手方向からの圧縮状態において、基端側から先端側への復元押出力が付与された吊下形商品押出具において、
前記帯板は、複数の部分帯板に分割形成されるとともに、該各部分帯板の接続により形成され、該部分帯板の突出頂部となる接続部が前後方向に重合溶着されていることを特徴とする吊下形商品押出具。
【請求項３】
略水平方向に延出される吊下形商品吊り下げ用のフック棒と、
ジグザグ形などの連続凹凸形状とされた帯板よりなり、該帯板は、長手方向からの圧縮状態において、基端側から先端側への復元押出力が付与され、該帯板の突出頂部の少なくとも一部が前後方向に重合溶着されている吊下形商品押出具と、を具備し、
前記商品押出具の凹凸部分を長手方向に貫通して形成される保持孔が前記フック棒に挿通されることにより、商品押出具がフック棒に挿通保持されていることを特徴とする吊下形商品陳列装置。
【請求項４】
略水平方向に延出される吊下形商品吊り下げ用フック棒と、ジグザグ形などの連続凹凸形状とされた帯板よりなり、該帯板は、長手方向からの圧縮状態において、基端側から先端側への復元押出力が付与され、該帯板は、複数の部分帯板に分割形成されるとともに、該各部分帯板の接続により形成され、該部分帯板突出頂部となる接続部が前後方向に重合溶着されている吊下形商品押出具と、を具備し、
前記商品押出具の凹凸部分を長手方向に貫通して形成される保持孔が前記フック棒に挿通されることにより、商品押出具がフック棒に挿通保持されていることを特徴とする吊下形商品陳列装置。
【請求項５】
前記吊下形商品押出具は、略倒Ｓ字形状に形成された基端側の部分帯板と、略Ｕ字形状に形成された中間部の部分帯板と、先端側の部分帯板との連続よりなり、前記基端側の部分帯板の先端部と前記中間部の部分帯板の基端部が前後方向に重合溶着され、前記中間部の部分帯板の先端部と前記先端側の部分帯板の基端部とが重合溶着される構成とすることを特徴とする請求項３または請求項４記載の吊下形商品陳列装置。
【請求項６】
バネ力若しくは復元力を有する合成樹脂よりなる帯板の製造工程と、この帯板を複数の部分帯板に切断する切断工程と、各区部分帯板の切断端部同士を前後方向に重合溶着する溶着工程と、を順次行なわせることによりジグザグ形などの連続凹凸形状とされた帯板を製造し、該帯板の凹凸部分を長手方向に貫通して形成した保持孔を吊下形商品吊り下げ用のフック棒に挿通保持させるようにしたことを特徴とする吊下形商品押出具の製造方法。
【発明の詳細な説明】
【０００１】
【発明の属する技術分野】
本発明は、整列して吊り下げられている陳列商品等の物品が容易に客の目に付き、手に取れるようにした吊下形商品押出具、吊下形商品陳列装置及び吊下形商品押出具の製造方法に関するものである。
【０００２】
【従来の技術】
この種の押出具における従来技術として、図５に示す下記特許文献１に開示されるように、逆Ｕ字形状のバネ板１０５を設け、このバネ板１０５の中間部に上下方向に伸びる縦孔を形成し、この孔にフック１０３を挿通させるとともに、バネ板１０５の一方の脚をフック支柱１０４に対接させ、他方の脚をフック１０３に吊り下げた吊下板１０２の最後部のものに対接させてブリスターパック商品等の吊下形商品１０１を前方へ押出すものがある。
また、図６，７に示す下記特許文献２に開示される押出具のように、ジグザグ状に屈曲した板を伸縮可能にしたジグザグ伸縮板２０２を、陳列される商品２０１を吊下げるフック棒２０３に挿通させ、ジグザグ伸縮板２０２の復元力を先端に設けた押出部２０４を通して商品２０１に伝えて押出すようにしたものがあった。
【０００３】
【特許文献１】
実公昭６０−１８１２３号公報
【特許文献２】
特開平９−６５９５６号公報
【０００４】
【発明が解決しようとする課題】
しかしながら、上述した従来の商品押出具である特許文献１のような押出具では、図５に示すように一箇所の屈曲部１０６しか持たないため、屈曲部１０６への負担が大き過ぎて復元力を失い易く、また、逆Ｕ字形状のバネ板１０５の上下寸法も大きくて嵩張るという問題があった。
さらに、特許文献２のような商品押出具では、図６，７に示すように屈曲部２０５を複数形成したジグザグ形状とすることによって各屈曲部２０５への負担は軽減されるものの、屈曲部２０５の角を成形しているため、押出具の圧縮時に各屈曲部２０５間の面同士が密着し難く、隙間が空間ロスになる。また、屈曲部２０５間の面の数が多く、その合計の面の厚さも圧縮時の空間ロスになるために、一個でも余計に商品２０１を陳列しておきたいという需要者の要望に答えられない。さらに、製造については、商品押出具全体が成形型を用いた射出成形によって製造されるため、成形型代が高くなり経済効率が悪くなる。さらに、ある程度のの剛性を必要とするため、高価な特殊な樹脂素材を用いる必要がある。また、製造工程が煩雑となる。従って、製造コストが嵩むという問題があった。
【０００５】
そこで本発明は、上記課題を解消するために、屈曲部への負担を減らしてバネの復元力を維持し、帯状バネ板の圧縮時における上下方向の嵩張りを防ぐことができ、また、単純な形状で簡素な構造となり、その製造工程も簡素にして製造を容易に行なうことができ、従って安価に得ることができる吊下形商品押出具、同商品陳列装置及び同商品押出具の製造方法を提供することを目的としている。
【０００６】
【課題を解決するための手段】
次に、上記の課題を解決するための手段を、実施の形態に対応する図面を参照して説明する。
この発明の吊下形商品押出具は、ジグザグ形などの連続凹凸形状とされた帯板１よりなり、該帯板１は、長手方向からの圧縮状態において、基端側Ｃから先端側Ａへの復元押出力が付与された吊下形商品押出具１０において、
前記帯板１の突出頂部３の少なくとも一部が前後方向に重合溶着されていることを特徴とする。
【０００７】
このような商品押出具によれば、帯板１の圧縮状態において復元押出力が付与されることによって、吊下形商品５を常に基端側Ｃから先端側Ａへ押し出すことが可能となる。
【０００８】
また、この発明の吊下形商品押出具によれば、ジグザグ形などの連続凹凸形状とされた帯板１よりなり、該帯板１は、長手方向からの圧縮状態において、基端側Ｃから先端側Ａへの復元押出力が付与された吊下形商品押出具１０において、前記帯板１は、複数の部分帯板１Ａ，１Ｂ…に分割形成されるとともに、該各部分帯板１Ａ，１Ｂ…の接続により形成され、該部分帯板１Ａ，１Ｂ…の突出頂部３となる接続部が前後方向に重合溶着されていることを特徴とする。
【０００９】
このような商品押出具によれば、一本の帯板１から複数に切断してそれらを接続し、圧縮状態において復元押出力を有する吊下形商品押出具１０が形成され、吊下形商品５を常に基端側Ｃから先端側Ａへ押し出すことが可能となる。また、成形型を用いることなく、商品押出具を得ることが可能となる。
【００１０】
さらに、この発明の吊下形商品陳列装置によれば、略水平方向に延出される吊下形商品５吊り下げ用のフック棒１１と、
ジグザグ形などの連続凹凸形状とされた帯板１よりなり、該帯板１は、長手方向からの圧縮状態において、基端側Ｃから先端側Ａへの復元押出力が付与され、該帯板１の突出頂部３の少なくとも一部が前後方向に重合溶着されている吊下形商品押出具１０と、を具備し、
前記商品押出具１０の凹凸部分を長手方向に貫通して形成される保持孔２が前記フック棒１１に挿通されることにより、商品押出部具１０がフック棒１１に挿通保持されていることを特徴とする。
【００１１】
このような商品陳列装置によれば、帯板１の圧縮状態において付与される復元押出力を有する吊下形商品押出具１０が、フック棒１１に挿通保持されて商品陳列装置を構成することにより、吊下形商品押出具１０の抜け落ちを防止し、吊下形商品押出具１０の圧縮状態において復元押出力を確実に基端側Ｃから先端側Ａへ向けることが可能となる。さらに、成形型を用いることなく、商品押出具を得ることが可能となる。
【００１２】
また、この発明の吊下形商品陳列装置によれば、略水平方向に延出される吊下形商品５吊り下げ用フック棒１１と、ジグザグ形などの連続凹凸形状とされた帯板１よりなり、該帯板１は、長手方向からの圧縮状態において、基端側Ｃから先端側Ａへの復元押出力が付与され、該帯板１は、複数の部分帯板１Ａ，１Ｂ…に分割形成されるとともに、該各部分帯板１Ａ，１Ｂ…の接続により形成され、該部分帯板１Ａ，１Ｂ…の突出頂部３となる接続部が前後方向に重合溶着されている吊下形商品押出具１０と、を具備し、
前記商品押出具１０の凹凸部分を長手方向に貫通して形成される保持孔２が前記フック棒１１に挿通されることにより、商品押出具１０がフック棒１１に挿通保持されていることを特徴とする。
【００１３】
このような商品押出具によれば、一本の帯板１から複数に切断してそれらを接続し、圧縮状態において付与される復元押出力を有する吊下形商品押出具１０が形成され、吊下形商品５を常に基端側Ｃから先端側Ａへ押し出すことが可能となる。
また、この吊下形商品押出具１０がフック棒１１に挿通保持されて商品陳列装置を構成することにより、吊下形商品押出具１０の紛失を防止し、吊下形商品押出具１０の圧縮状態において付与される復元押出力を確実に基端側Ｃから先端側Ａへ向けることが可能となる。
【００１４】
さらに、この発明の吊下形商品陳列装置によれば、前記吊下形商品押出具１０は、略倒Ｓ字形状に形成された基端側の部分帯板１Ｃと、略Ｕ字形状に形成された中間部の部分帯板１Ｂと、先端側の部分帯板１Ａとの連続よりなり、前記基端側の部分帯板１Ｃの先端部と前記中間部の部分帯板１Ｂの基端部が前後方向に重合溶着され、前記中間部の部分帯板１Ｂの先端部と前記先端側の部分帯板１Ａの基端部とが重合溶着される構成とすることを特徴としている。
【００１５】
このような商品陳列装置によれば、基端側の部分帯板を略倒Ｓ字形状に形成し、中間部の部分帯板を略Ｕ字形状に形成し重合溶着させることによって、屈曲部を三箇所有する復元押出力に優れた形状となる。
【００１６】
また、この発明の吊下形商品押出具の製造方法によれば、バネ力若しくは復元力を有する合成樹脂よりなる帯板１の製造工程と、この帯板１を複数の部分帯板１Ａ，１Ｂ…に切断する切断工程と、各区部分帯板の切断端部同士を前後方向に重合溶着する溶着工程と、を順次行なわせることによりジグザグ形などの連続凹凸形状とされた帯板１を製造し、該帯板１の凹凸部分を長手方向に貫通して形成した保持孔２を吊下形商品５吊り下げ用のフック棒１１に挿通保持させ得るようにしたことを特徴とする。
【００１７】
このような製造方法によれば、一本の帯板１を切断して製造するため、材料費を抑えることができる。さらに安価に得られる軟質な樹脂素材を用いることができる。また、製造工程が少なく、それぞれの工程が複雑な作業を必要としないことから、吊下形商品５を押し出すのに充分なバネ力を有した吊下形商品押出具１０を安価に得ることができる。
【００１８】
【発明の実施の形態】
以下、本発明の実施の形態を図面を参照して具体的に説明する。図１は本発明による吊下形商品陳列装置の実施の形態を示す斜視図、図２（ａ）は吊下形商品陳列装置の実施の形態を示す平面図、図２（ｂ）は吊下形商品陳列装置の実施の形態を示す側面図である。
【００１９】
本発明の吊下形商品押出具は、吊下形商品５（ブリスターパック等）を一定の方向へ向って押し出す吊下形商品押出具１０である。
【００２０】
この実施の形態の吊下形商品押出具１０は、図４（ａ），（ｂ），（ｃ）に示すように先端側Ａ、中間部Ｂ及び基端側Ｃの三本の部分帯板１Ａ，１Ｂ，１Ｃによって形成されている。
【００２１】
先端側の部分帯板１Ａは、図４（ａ）に示すように長手方向のいずれかの端部１Ａａ近傍に保持孔２Ａａが穿設されている。
また、中間部の部分帯板１Ｂは、図４（ｂ）に示すように長手方向の両端部１Ｂａ，１Ｂｂ近傍にそれぞれ保持孔２Ｂａ，２Ｂｂが穿設されている。なお、本実施の形態では、この中間部の部分帯板１Ｂの長手方向の長さが、先端側の部分帯板１Ａの長手方向の長さよりも長く形成されている。
さらに、基端側の部分帯板１Ｃは、図４（ｃ）に示すように長手方向の端部１Ｃａ近傍に保持孔２Ｃａが穿設されている。また、基端側の部分帯板１Ｃには、略長穴に形成されている調節保持孔２Ｃｂが、長手方向を部分帯板１Ｃの長手方向と略平行を向けて穿設されている。保持孔２Ｃａの中心から調節保持孔２Ｃｂの中心までの距離は、中間部の部分帯板１Ｂの保持孔２Ｂａの中心から保持孔２Ｂｂの中心までの距離と同等である。また調節保持孔２Ｃｂと端部１Ｃｂの間には保持孔２Ｃｃが穿設されている。なお、基端側の部分帯板１Ｃは三本の部分帯板１Ａ，１Ｂ，１Ｃの中で最も長く形成されている。
【００２２】
以上説明した先端側Ａ、中間部Ｂ及び基端側Ｃのそれぞれの部分帯板１Ａ，１Ｂ，１Ｃが溶着されることによって吊下形商品押出具１０を形成している。具体的には、図１に示すように先端側の部分帯板１Ａの端部１Ａａが、中間部の部分帯板１Ｂの端部１Ｂａと裏面同士を重合溶着させて突出頂部３を形成している。また、中間部の部分帯板１Ｂの端部１Ｂｂは、基端側の部分帯板１Ｃの端部１Ｃａと裏面同士を重合溶着させて突出頂部３を形成している。
【００２３】
さらに、先端側の部分帯板１Ａは、略Ｉ字状に形成、或いは略Ｊ字状に湾曲され、中間部の部分帯板１Ｂは、略Ｕ字状に湾曲され、基端側の部分帯板１Ｃは、下方と上方の二箇所で倒Ｓ字状に湾曲されている。
【００２４】
また、各部分帯板１Ａ，１Ｂ，１Ｃを重合溶着させることによって、吊下形商品押出具１０は、各部分帯板１Ａ，１Ｂ，１Ｃの復元押出力が合成される。さらに、複数のバネ力を有した屈曲部４が形成されている略ジグザグ形状となる。
【００２５】
なお、この実施の形態の吊下形商品押出具１０の材料として合成樹脂を用いているが、好適な材料としてポリオキシメチレンを用いることが望ましい。
【００２６】
この実施の形態によれば、帯板１を切断して分割し、溶着させて得られる構造であることから、一本の帯板１から吊下形商品押出具１０を形成することが可能となる。
また、この吊下形商品押出具１０は、バネ力を有する屈曲部４が三箇所形成されることによって、各屈曲部４への負担を分散していることから、復元押出力を経時的に維持することができる。
さらに、調節保持孔２Ｃｂを略長穴に形成することによって、吊下形商品押出具１０を円滑に摺動させることができる。
また、このこの調節保持孔２Ｃｂが基端側の部分帯板１Ｃの略中間に穿設されることによって、吊下形商品押出具１０の圧縮状態において、上下方向のいずれか一方のみに飛び出さず、上下方向に略均等に突出する。
さらに、屈曲部４は本来一枚板であり、無負荷の状態でも伸長しようとする力が働くため、屈曲部４の数を増やすことなく吊下形商品５を押し出すのに必要な押出力を発生させることができる。
【００２７】
また、先端側の部分帯板１Ａが略Ｉ字状に形成、或いは略Ｊ字状に湾曲されていることにより、部分帯板１の材質の弾性を吊下形商品５に付与することができる。さらに、中間部の部分帯板１Ｂを人為的に略Ｕ字状に湾曲されることにより、容易に復元押出力を得ることガできる。
また、基端側の部分帯板１Ｃを下方と上方の二箇所で倒Ｓ字状に湾曲させ、屈曲部４が二箇所形成されることにより、容易に強力な復元押出力を得ることができる。
【００２８】
なお、上述した実施の形態では、一本の帯板１を分割形成して、それぞれの部分帯板１Ａ，１Ｂ，１Ｃの突出頂部３を前後方向に重合溶着させているが、一本の帯板１を屈曲させて向かい合う面同士を溶着させて突出頂部３を形成してもよい。これにより、上記と同様の効果が得られる。
【００２９】
次に、吊下形商品押出具の製造方法について説明する。この吊下形商品押出具の製造方法は、これまで煩雑であった製造工程を簡素な作業で補い、吊下形商品５を押し出すための充分な復元押出力を有した吊下形商品押出具１０が製造することができる製造方法である。
【００３０】
この吊下形商品押出具の製造方法は、帯板１の製造工程と、この帯板１を切断する切断工程と、切断された各帯板１Ａ，１Ｂ，１Ｃを重合溶着する溶着工程とで略構成されている。
【００３１】
まず、帯板１の製造工程では、バネ力若しくは復元力を有する合成樹脂を溶融させ、スクリューでダイより押し出して連続的に帯板１を形成する押出成形としている。
【００３２】
次に、切断工程では、この帯板１を、図４（ａ），（ｂ），（ｃ）に示すように先端側Ａ、中間部Ｂ及び基端側Ｃのそれぞれの長さの複数の部分帯板１Ａ，１Ｂ，１Ｃに切断する。
【００３３】
次に、溶着工程では、図２（ｂ）に示すようにそれぞれ所定の長さに切断された各部分帯板１Ａ，１Ｂ，１Ｃの切断端部同士を重合溶着する。
【００３４】
以上の工程を順次行なわせることによりジグザグ形等の連続凹凸形状とされた帯板１を製造する。また、この連続凹凸形状の帯板１の凹凸部分を長手方向に貫通して形成した保持孔２を穿設する。
【００３５】
なお、保持孔２は、帯板１の製造工程の後の切断工程の前に予め穿設してもよく、また、この帯板１を切断工程後に穿設してもよく、或いは溶着工程終了後に穿設してもよい。好ましくは、保持孔２は、切断工程前に予め所定の間隔で穿設して切断工程に入っていくか、若しくは、切断工程終了後に各部分帯板ごとに所定の位置に穿設する方法がよい。
【００３６】
この実施の形態によれば、押出成形で得られる連続した一本の帯板１を切断して使用するため、材料の無駄を抑えることができる。つまり、材料費を抑えることができる。
また、切断と溶着という工程であり、製造工程が少なく、それぞれの工程が煩雑な作業を必要としないため、吊下形商品５を押し出すのに充分なバネ力を有した吊下形商品押出具１０を安価に得ることができる。
さらに、成形金型等を用いる射出成形等の大掛りな成形装置が不要であることでも、吊下形商品押出具を安価に得ることができる。
【００３７】
次に、吊下形商品陳列装置２０について説明する。この実施の形態における吊下形商品陳列装置２０は、例えば、スーパーマーケットやコンビニエンスストアー等に陳列されている吊下形商品５を常に客側に押し出し、吊下形商品５を客の目に付き易くして、さらに、吊下形同商品５を客の手に取り易くする。また、吊下形商品５の並びを整えて、見栄えをよくするための装置である。図１又は図２（ａ），（ｂ）に示すように前述した吊下形商品押出具１０とフック棒１１と取付棒１４とで構成されている。
【００３８】
フック棒１１は、略水平方向に真直な略棒状に形成されている。また、フック棒１１の先端側Ａには、フック部１２が略へ字状に屈曲形成されている。さらに、フック棒１１の基端側Ｃには、支持部１３が略垂下方向に屈曲形成されている。
【００３９】
取付棒１４は、平面視で略コ字状に形成されている基部１５の両端からそれぞれ略垂下方向に屈曲形成されている引掛部１６が形成されている。
【００４０】
フック棒１１と取付棒１４は、支持部１３と引掛部１６が略平行に並び、且つ平面視で支持部を頂点とする二等辺三角形を形成する位置で溶接される。
【００４１】
以下、吊下形商品押出具１０をフック棒１１に取り付ける手順について説明する。
まず、吊下形商品押出具１０の調節保持孔２Ｃｂをフック棒１１の先端のフック部１２から挿通させる。
次に、吊下形商品押出具１０の保持孔２Ｃａから先端側Ａの保持孔２Ａａまでを順次フック棒に挿通させ、吊下形商品押出具１０をフック棒１１に摺動させて基端側Ｃまで押し込む。
次に、残っている最も基端側Ｃの保持孔２Ｃｃを支持部１３の末端から挿通させる。挿通させた保持孔２Ｃｃをフック棒１１と取付棒１４の溶接部分まで摺動させ、吊下形商品押出具１０のフック棒１１への取り付けが完了する。なお、この最も基端側Ｃの保持孔２Ｃｃのみが取付棒１４を介して基端側Ｃに存在する。
【００４２】
また、保持孔２Ｃｃから部分帯板１Ｃの端縁までの面が支持部１３に当接され、支持部１３が先端側Ａから押されてくる吊下形商品押出具１０を抑えることにより、押え手段１７を構成している。この押え手段１７によって、吊下形商品押出具１０は先端側Ａから押出力に対して圧縮状態となる。
【００４３】
さらに、基端側Ｃから先端側Ａへの復元押出力に対しては、フック棒１１と取付棒１４の溶接部分によって保持孔２Ｃｃの先端側Ａへの移動が抑制される固定手段１８によって、吊下形押出具１０の先端側Ａへの抜け止めとなっている。
【００４４】
また、吊下形商品陳列装置２０の支持部１３と引掛部１６との隙間を商品陳列棚の桟３０等に嵌め込むことによって、吊下形商品陳列装置２０の店内への設置が完了する。
【００４５】
この吊下形商品陳列装置に、図３（ａ），（ｂ）に示すように吊下形商品５を先端側Ａから順次吊り下げていき、吊下形商品押出具１０が基端側Ａへ圧縮される。その際、吊下形商品押出具１０は、フック棒１１に保持孔２ａ（２）を摺動させて圧縮状態における吊下形商品押出具１０の軌道を矯正している。
また、圧縮状態において、先端側の部分帯体１Ａは吊下形商品５に当接し、先端側Ａへ常に復元押出力を付与している。これによって、吊下形商品５は常に先端側Ａへ押し出される。さらに、フック棒１１先端に形成されているフック部１２によって、押し出された吊下形商品５の脱落を防止している。
【００４６】
この実施の形態によれば、前述した吊下形商品押出具１０を用いて吊下形商品陳列装置を構成することができる。
また、フック棒１１に保持孔２ａ（２）を摺動させることにって、吊下形商品押出具１０の圧縮状態において復元押出力を確実に基端側Ｃから先端側Ａへ向けることが可能となる。つまり、吊り下げられている吊下形商品５を確実に客側に並べることができる。
さらに、固定手段１８によって吊下形商品押出具１０の紛失を防止することができる。
【００４７】
【発明の効果】
以上説明したように本発明による吊下形商品押出具によれば、帯板を切断して分割し、溶着させて得られる構造であることから、一本の帯板から吊下形商品押出具を形成することが可能となる。
また、この吊下形商品押出具は、バネ力を有する複数の連続した凹凸形状の帯板であるため、各凹凸部分への負担を分散していることから、復元押出力を経時的に維持することができる。
さらに、基端側の部分帯板の略中間に穿設される保持孔を略長穴に形成することによって、吊下形商品押出具が円滑に摺動し、吊下形商品を効率的に押し出すことが可能となる。
また、この保持孔が基端側の帯板の略中間に穿設されることによって、吊下形商品押出具の圧縮状態において、上下方向のいずれか一方のみに飛び出さず、上下方向に略均等に突出するため、帯板が嵩張らず、意匠的にも見栄えがよい。
さらに、この吊下形商品押出具は、無負荷の状態で伸長しようとする力が働くため、連続凹凸形状の凹凸の数を抑えて吊下形商品を押し出すのに必要な押出力を発生させることができる。
【００４８】
さらに、本発明による吊下形商品押出具の製造方法によれば、押出成形で得られる連続した一本の帯板を切断して使用するため、材料の無駄を抑えることができる。つまり、材料費を抑えることができる。
また、切断と溶着という工程であり、製造工程が少なく、それぞれの工程が煩雑な作業を必要としないため、吊下形商品を押し出すのに充分なバネ力を有した吊下形商品押出具を安価に得ることができる。また、軟質の安価な樹脂素材を用いることができる。
さらに、成形金型等を用いる射出成形等の大掛りな成形装置が不要であることでも、吊下形商品押出具を安価に得ることができる。
【００４９】
また、本発明による吊下形商品陳列装置によれば、前述した吊下形商品押出具を用いて吊下形商品陳列装置を構成することができる。
さらに、フック棒に保持孔を摺動させることにって、吊下形商品押出具の圧縮状態において復元押出力を確実に基端側から先端側へ向けることが可能となる。つまり、吊り下げられている吊下形商品を確実に客側に並べることができる。
また、固定手段によって吊下形商品押出具の紛失を防止することができる。
【００５０】
さらに、先端側の部分帯板を部分帯板の材質が有している弾性によって、微弱な復元押出力を得ることができ、中間部の部分帯板を略Ｕ字状に湾曲させることにより、復元押出力を得ることができ、基端側の部分帯板を略倒Ｓ字状に湾曲させることにより、強力な復元押出力を得ることができる。
また、各部分帯板を重合溶着させることによって、各部分帯板が有する復元押出力を合成させてより良質な復元押出力を吊下形商品に付与させることができる。つまり、吊下形商品を客側に押し出すことに優れた構成とすることができる。
【図面の簡単な説明】
【図１】本発明の吊下形商品陳列装置の一実施の形態を示す斜視図である。
【図２】（ａ）本発明の吊下形商品陳列装置の一実施の形態を示す平面図である。
（ｂ）本発明の吊下形商品陳列装置の一実施の形態を示す側面図である。
【図３】（ａ）本発明の吊下形商品陳列装置の一実施の形態を示す平面図である。
（ｂ）本発明の吊下形商品陳列装置の一実施の形態を示す側面図である。
【図４】（ａ）本発明の吊下形商品押出具を構成する部分帯板の一実施の形態を示す平面図である。
（ｂ）本発明の吊下形商品押出具を構成する部分帯板の一実施の形態を示す平面図である。
（ｃ）本発明の吊下形商品押出具を構成する部分帯板の一実施の形態を示す平面図である。
【図５】従来の吊下形商品押出具の一実施の形態を示す側面図である。
【図６】従来の吊下形商品押出具の一実施の形態を示す斜視図である。
【図７】従来の吊下形商品押出具の一実施の形態を示す側面図である。
【符号の説明】
１…帯板
１Ａ…部分帯板（先端側）
１Ｂ…部分帯板（中間部）
１Ｃ…部分帯板（基端側）
１Ａａ，１Ａｂ，１Ｂａ，１Ｂｂ，１Ｃａ，１Ｃｂ…端部
２（２Ａａ，２Ｂａ，２Ｂｂ，２Ｃａ，２Ｃｃ）…保持孔
２Ｃｂ…調節保持孔
４…屈曲部
３…突出頂部
５…吊下形商品
１０…吊下形商品押出具
１１…フック棒
１２…フック部
１３…支持部
１４…取付棒
１５…基部
１６…引掛部
１７…押え手段
１８…固定手段
２０…吊下形商品陳列装置
３０…商品陳列棚
Ａ…先端側
Ｂ…中間部
Ｃ…基端側
【図１】
2004159774.tif 000003
【図２】
2004159774.tif 000004
【図３】
2004159774.tif 000005
【図４】
2004159774.tif 000006
【図５】
2004159774.tif 000007
【図６】
2004159774.tif 000008
【図７】
2004159774.tif 000009